(57)【要約】【課題】単面形パレットに適するように原材料の使用量を削減し、合理的な配置と裁断及び組立工数の削減を可能にして、強度向上と低コスト化を同時に満足させることができる単面形紙製パレット用桁材を提供すること。【解決手段】上面に天板２を有し、該天板２の下面に、該天板２を支持するために配置され、互いの切欠部同士を上下方向に差し込んで平面形状が井桁状に組み合わされた複数の縦桟３と横桟４を備えており、前記天板２と縦桟３及び横桟４が段ボール板紙で構成され、前記縦桟３及び横桟４が段ボール板紙の波形状の中芯の段に平行な方向を高さ方向として裁断され、かつ、高さ方向に２つ折りとされ、さらに、前記天板２は、縦桟３の上端に水平方向へ屈曲して一連に延設されている。【選択図】図１
2007223618.tif 000002
【特許請求の範囲】
【請求項１】
上面に天板（２）を有し、該天板（２）の下面に、該天板（２）を支持するために配置され、互いの切欠部同士を上下方向に差し込んで平面形状が井桁状に組み合わされた複数の縦桟（３）と横桟（４）を備えており、前記天板（２）と縦桟（３）及び横桟（４）が段ボール板紙で構成され、前記縦桟（３）及び横桟（４）が段ボール板紙の波形状の中芯の段に平行な方向を高さ方向として裁断され、かつ、高さ方向に２つ折りとされ、さらに、前記天板（２）は、縦桟（３）の上端に水平方向へ屈曲して一連に延設されていることを特徴とする単面形紙製パレット用桁材。
【請求項２】
前記複数の縦桟（３）は、下端で２つ折りされ、この２つ折りされた２片の上端を両側に水平に折り曲げて縦桟（３）と天板（２）がＴ字形に連設されていることを特徴とする請求項１に記載の単面形紙製パレット用桁材。
【請求項３】
前記縦桟（３）と天板（２）は、一連の段ボール板紙で構成され、複数の縦桟（３）の配列方向中心から両側に対称形状で裁断形成されていることを特徴とする請求項１又は２に記載の単面形紙製パレット用桁材。
【請求項４】
前記天板（２）は、縦桟（３）の配列方向の両端で該配列方向中央に向けて水平に折り返されて二重状態で重合接着されていることを特徴とする請求項１〜３の何れかに記載の単面形紙製パレット用桁材。
【請求項５】
前記縦桟（３）の上端と水平方向に延びる天板（２）とが一連となっている境界は、折り目の内側となる側の段ボール板紙のライナをヒンジ部として残し、他の中芯及びライナが前記折り目に沿ってカットされており、かつ、ヒンジ部として残されたライナには前記折り目に沿って縦桟（３）と天板（２）を分離する切り目が断続的に形成されており、この切り目の部分において前記天板が縦桟の上端に天板の厚さ分だけ下方へ圧入され、この切り目以外の縦桟（３）と天板（２）の連続部分では前記ライナが下方へ捲れ下げられて前記天板（２）の上面が水平方向に面一とされていることを特徴とする請求項１〜４の何れかに記載の単面形紙製パレット用桁材。
【請求項６】
前記縦桟（３）及び天板（２）には、縦桟（３）の配列方向と直交する長手方向の中央部に切り離し用の切り目が断続的に形成してあることを特徴とする請求項１〜５の何れかに記載の単面形紙製パレット用桁材。
【請求項７】
前記横桟（４）は、縦桟（３）の配列方向と直交する長手方向の中央を対称中心として、少なくとも縦桟（３）の長手方向の両端付近と中央付近とに配置されていることを特徴とする請求項１〜６の何れかに記載の単面形紙製パレット用桁材。
【請求項８】
前記縦桟（３）の切欠部は、下端側に形成されており、横桟（４）の切欠部は、上端側に形成されており、これらの切欠部は、前記縦桟（３）及び横桟（４）の高さの半分の深さで形成されていることを特徴とする請求項１〜７の何れかに記載の単面形紙製パレット用桁材。
【発明の詳細な説明】
【技術分野】
【０００１】
本発明は、デッキボードが上面だけに設けられる単面形紙製パレット用桁材に関するものである。
【背景技術】
【０００２】
一般に、物流において用いられるパレットには、木製パレット、樹脂製パレット、金属製パレット及び紙製パレットがあり、このうち、紙製パレットが他のパレットに比べて軽量であり、取り扱いが容易で作業者などに怪我の心配がなく、積載重量軽減による物流コストの抑制、最適輸送効率の実現、物流資源コストの削減、廃棄処分やリサイクルが容易で環境にやさしいことなどの優れた利点があり、また、１回の使用で捨てるワンウエイ化にも最適であることから本格的な利用が展開されつつある。
【０００３】
上記紙製パレット及び桁材として、例えば、特許文献１〜３が公知である。
【特許文献１】実公昭３７−１０８４４号公報
【特許文献２】実開昭５６−１７５３３７号公報
【特許文献３】実開昭５８−３８５１７号公報
【発明の開示】
【発明が解決しようとする課題】
【０００４】
上記ワンウエイ化において要求されることは、低コスト化である。この種の紙製パレットにおいて、低コスト化を実現するには、原材料の使用量を削減することであるが、原材料の使用量を削減すると、積載物重量に対する平面圧縮強度（耐圧強度）が不足する不具合がある。
従来の特許文献１〜３の桁材は、デッキボードが上下両面に設けられる両面形パレットと、デッキボードが上面だけに設けられる単面形パレットとに共用されており、原材料の無駄使用が多くなり、低コスト化を阻害する要因となっていた。
【０００５】
また、この種のパレットは、フォークリフトやハンドリフトのフォークに対して二方差しと四方差しとで桁材を使い分ける必要があるが、特許文献１〜３のものは、上記二種類の桁材を別々に製作準備する必要があり、製品管理も複雑となるという問題点があった。
本発明は、従来の紙製パレット用桁材の上記問題点に鑑みて開発されたもので、その目的とするところは、単面形パレットに適するように原材料の使用量を削減し、合理的な配置と裁断及び組立工数の削減を可能にして、強度向上と低コスト化を同時に満足させることができる単面形紙製パレット用桁材を提供することを目的としている。
【課題を解決するための手段】
【０００６】
前記目的を達成するために本発明は、上面に天板を有し、該天板の下面に、該天板を支持するために配置され、互いの切欠部同士を上下方向に差し込んで平面形状が井桁状に組み合わされた複数の縦桟と横桟を備えており、前記天板と縦桟及び横桟が段ボール板紙で構成され、前記縦桟及び横桟が段ボール板紙の波形状の中芯の段に平行な方向を高さ方向として裁断され、かつ、高さ方向に２つ折りとされ、さらに、前記天板は、縦桟の上端に水平方向へ屈曲して一連に延設されていることを特徴としている。
【０００７】
上記構成によれば、桁材の骨格となる縦桟及び横桟は、何れも段ボール板紙で構成されているため軽量であり、しかも、段ボール板紙の波形状の中芯の段に平行な方向が高さ方向として裁断されているため上下方向の支持強度を大きくすることができ、かつ、高さ方向に２つ折りとされているため、裁断及び組立工数が削減できるとともに、各縦桟及び横桟の厚さが段ボール板紙２枚分となり、個々の縦桟及び横桟の強度が２倍以上に向上し、しかも、縦桟と横桟の配置が他に制約されず、自由に合理的に配置することができ、その結果、原材料の使用量を削減して強度向上と低コスト化を同時に満足することができる単面形紙製パレット用桁材を提供することができる。なお、桁材の骨格の上面には、縦桟と一連の天板が設けてあるため、単面形パレットの上面だけに設けられるデッキボードに広い面積で強固に糊付けすることが可能となる。また、桁材の骨格の下面側は、デッキボードに接着する必要がないため、広い糊付け接着面を形成せず、井桁状に組み合わされた縦桟と横桟の下面をそのまま桁材の底面とすることにより、単面形パレット用桁材専用として原材料の使用量を大幅に削減している。
【０００８】
また、前記複数の縦桟は、下端で２つ折りされ、この２つ折りされた２片の上端を両側に水平に折り曲げて縦桟と天板がＴ字形に連設されていることを特徴としている。
上記構成によれば、天板を縦桟と一連に形成することができ、部品点数を削減することができる。
前記縦桟と天板は、一連の段ボール板紙で構成され、複数の縦桟の配列方向中心から両側に対称形状で裁断形成されていることを特徴としている。
【０００９】
上記構成によれば、複数の縦桟と天板との板取り及び裁断作業を容易化することができる。
前記天板は、縦桟の配列方向の両端で該配列方向中央に向けて水平に折り返されて二重状態で重合接着されていることを特徴としている。
上記構成によれば、天板自体の強度が補強され、かつ、天板と縦桟との結合強度も向上させ得るため、デッキボードと桁材の結合強度を向上させることができる。
【００１０】
前記縦桟の上端と水平方向に延びる天板とが一連となっている境界は、折り目の内側となる側の段ボール板紙のライナをヒンジ部として残し、他の中芯及びライナが前記折り目に沿ってカットされており、かつ、ヒンジ部として残されたライナには前記折り目に沿って縦桟と天板を分離する切り目が断続的に形成されており、この切り目の部分において前記天板が縦桟の上端に天板の厚さ分だけ下方へ圧入され、この切り目以外の縦桟と天板の連続部分では前記ライナが下方へ捲れ下げられて前記天板の上面が水平方向に面一とされていることを特徴としている。
【００１１】
上記構成によれば、縦桟の上端と天板とが圧入状態で強固に接合され、該接合部で圧入部の弾性反発力により接合状態を自己保持させ得るため、糊付けを省略することが可能となり、低コスト化が図れる。
前記縦桟及び天板には、縦桟の配列方向と直交する長手方向の中央部に切り離し用の切り目が断続的に形成してあることを特徴としている。
【００１２】
上記構成によれば、四方差しパレットに使用する場合では、本発明の桁材を長手方向中央部で切り離して半分の長さにして使用すればよく、この場合、桁材の長手方向中央部には切り目が形成してあるため、簡単に切り離すことができ、二方差しパレットに使用する場合には、切り離すことなくそのままで使用すればよいもので、桁材の製作工数や製品管理を四方差しと二方差しとで共用できる利点がある。
【００１３】
前記横桟は、縦桟の配列方向と直交する長手方向の中央を対称中心として、少なくとも縦桟の長手方向の両端付近と中央付近とに配置されていることを特徴としている。
上記構成によれば、桁材を四方差しと二方差しとに使用した場合でも単位面積当たりの平面強度を同一とすることができる。
前記縦桟の切欠部は、下端側に形成されており、横桟の切欠部は、上端側に形成されており、これらの切欠部は、前記縦桟及び横桟の高さの半分の深さで形成されていることを特徴としている。
【００１４】
上記構成によれば、天板と縦桟を先に一体に組立（折り曲げ接着などで）形成しておき、後から横桟を差し込んで井桁状に組み合わせることができ、桁材の製作が容易となる。
【発明の効果】
【００１５】
本発明によれば、単面形パレットに適するように原材料の使用量を削減し、合理的な配置と裁断及び組立工数の削減を可能にして、強度向上と低コスト化を同時に満足させることができる単面形紙製パレット用桁材を提供することができる。
【発明を実施するための最良の形態】
【００１６】
以下、本発明の紙製パレット用桁材の実施形態を図面に基づいて説明する。
図１〜図５において、本発明の実施形態に係る桁材１は、上面に天板２を有し、該天板２の下面に、該天板２を支持するために配置され、互いの切欠部同士を上下方向に差し込んで平面形状が井桁状に組み合わされた複数の縦桟３と横桟４を備えており、前記天板２と縦桟３及び横桟４が段ボール板紙で構成され、前記縦桟３及び横桟４が段ボール板紙の波形状の中芯の段に平行な方向を高さ方向Ｚとして裁断され、かつ、高さ方向Ｚに２つ折りとされ、さらに、前記天板２は、縦桟３の上端に水平方向へ屈曲して一連に延設されている。
【００１７】
前記縦桟３は、図２に示すように、天板２とともに一連の長方形の段ボール板紙５で構成される。縦桟３は、図３に示すように、下端で２つ折りされ、この２つ折りされた２片３ａ、３ｂの上端に天板２が連設され、この天板２を両側に水平に折り曲げて縦桟３と天板２がＴ字形に連設されている。この縦桟３は、要求される支持強度や用途等によって複数（例えば、２〜４本）が設置され、その際、縦桟３と天板２は、図２に示すように、一連の段ボール板紙５の上で、複数（図２は２本の場合を例示している。）の縦桟３の配列方向中心から両側に対称形状で板取りして裁断形成されている。
【００１８】
具体的に説明すると、縦桟３を２本とする場合は、図２に示すように、中間部天板片２ａを挟んでその両側に各縦桟３とするための部分３ａ、３ｂが縦桟３の高さ寸法ｈ１の２倍の長さで上端内側用折り目３ｃ、３ｃを介して一連に板取りされ、各縦桟３とするための部分３ａ、３ｂは、下端で２つ折りとするためにそれらの中間に下端用折り目３ｄが形成されて前記２片３ａ、３ｂとされている。そして、この２片３ａ、３ｂの外側に端部天板片２ｂ、２ｂがそれぞれ上端用折り目３ｅ、３ｅを介して連続して板取りされ、さらにその外側に、上側天板片２ｃ、２ｃが折り返し用折り目３ｆ、３ｆを介して連続して板取りされている。
【００１９】
このように板取りされた各片は、図３に示すように、それぞれの折り目で折り曲げられて図１に示す状態とされる。
即ち、２本の下端用折り目３ｄ、３ｄの位置で内外２片３ａ、３ｂを上側に折り曲げて２本の縦桟３、３を形成し、２本の縦桟３、３の間で上端内側用折り目３ｃ、３ｃを水平に折り曲げて中間部天板片２ａを形成し、また、２本の縦桟３、３の外側で上端用折り目３ｅ、３ｅを外側に水平に折り曲げて端部天板片２ｂ、２ｂを形成し、さらに、上側天板片２ｃ、２ｃを折り返し用折り目３ｆ、３ｆの位置で内側へ水平に折り返すことにより、図２の段ボール板紙５が、図３に示す状態に折り曲げ形成される。
【００２０】
このように、天板２は、両外側の上側天板片２ｃ、２ｃが縦桟３、３の配列方向Ｘの両端で該配列方向中央に向けて水平に折り返されて端部天板片２ｂ、２ｂ及び中間部天板片２ａの上に重ね合わされる。そして、これら上下の天板片２ａ、２ｂ、２ｃの間に澱粉糊などの接着剤が供給されて天板２は二重状態で重合接着されている。上側天板片２ｃ、２ｃの幅寸法ｗ１は、両側で同一とされ、それらを合わせた幅寸法２ｗ１＝Ｗは、図１、図２に示すように、内側へ折り返したときに、下側の中間部天板片２ａの幅寸法ｗ２と、両外側の端部天板片２ｂ、２ｂの幅寸法ｗ３と、２本の縦桟３、３の幅（厚さ）寸法ｗ４とを合わせた幅寸法と等しく、即ち、Ｗ＝２ｗ１＝ｗ２＋２ｗ３＋２ｗ４とされている。
【００２１】
上記縦桟３の上端と水平方向に延びる天板２とが一連となっている境界は、図２の折り目３ｃ、３ｅの内側となる側の段ボール板紙のライナ５ａを図４（Ａ）に示すように、カットすることなく連続させたままでヒンジ部として残し、他の中芯５ｂ及びライナ５ｃが前記折り目３ｃ，３ｅに沿ってカットされており、かつ、ヒンジ部として残されたライナ５ａには図５（Ａ）に示すように、前記折り目３ｃ、３ｅに沿って縦桟３と天板２を分離する切り目５ｄが断続的に形成されており、この切り目５ｄの部分において前記天板２が縦桟３の上端に天板２の厚さｔの半分（二重の天板の下側の天板片の厚さ分）だけ下方へ圧入され（図５（Ｂ）参照）、この切り目５ｄ以外の縦桟３と天板２の連続部分５ｅでは前記ライナ５ａが図４（Ｂ）に示すように、下方へ捲れ下げられて前記天板２の上面が水平方向に面一とされている（図１参照）。
【００２２】
上記切り目５ｄは、前記折り目３ｃ、３ｅの全長に亘って連続して入れると縦桟３と天板２が分離してしまうので、前記しているように、断続的に入れ、切り目５ｄと切り目５ｄの間には連続部分５ｅを残存させておくものである。なお、切り目５ｄを設けておく方が好ましいが、省略しても良い。
また、各縦桟３の内外２片３ａ、３ｂの下端用折り目３ｄの部分は、図４（Ａ）に示すように、折り目３ｄの内側となる段ボール板紙のライナをカットすることなく連続させたままでヒンジ部として残し、他の中芯及びライナは前記折り目３ｄに沿ってカットし、２つ折りを容易としていると共に、縦桟３の下端面（小口面）を平坦で、段ボール板紙のライナ及び中芯が折れ曲がっていない状態とし、これによって、縦桟３の支持強度を最大限に発生させるようにしている。
【００２３】
また、前記縦桟３及び天板２には、図１及び図２に示すように、縦桟３の配列方向（幅方向）Ｘと直交する長手方向Ｙの中央部に切り離し用の切り目５ｆが断続的に形成してある。これによって、本発明に係る桁材１を、用途などに応じて、長手方向Ｙの全長の長さＬと半分の長さＬ／２とに使い分けできるようにしている。
次に、横桟４は、図６に示すように、下端で２つ折りされる２片４ａ、４ｂを備え、これらは、天板２の幅寸法Ｗと同じ幅寸法Ｗで、高さ寸法ｈ２を縦桟３の高さ寸法ｈ１に対して天板２の厚さｔの半分ｔ／２だけ短くされている（即ち、ｈ２＝ｈ１ーｔ／２）。この横桟４は、縦桟３と同じ段ボール板紙６で構成され、高さ方向にｈ２の２倍の長さで、幅方向にＷの幅で長方形に板取りして、桁材１に必要な枚数（図に示す実施形態の場合では、４枚）が裁断され、高さ方向の中間に折り目４ｃが形成されて２片４ａ、４ｂとされ、また、２本の縦桟３、３に対応する切欠部４ｄ、４ｄが同時に裁断形成される。
【００２４】
上記横桟４は、図１に示すように、縦桟３の配列方向（幅方向）Ｘと直交する長手方向Ｙの中央を対称中心として、少なくとも縦桟３の長手方向Ｙの両端付近と中央付近とに配置されている。この結果、縦桟３及び天板２を、長手方向Ｙの全長の長さのままで使用する場合の荷重負担を長手方向Ｙの両端と中央部とに平均的に分散させて各横桟４で支持させると共に、半分の長さに切り離して使用する場合でも、荷重負担を長手方向の両端に平均的に分散させて各横桟４で支持させることができるようにしている。
【００２５】
上記横桟４を縦桟３に組み合わせるために、縦桟３には、図１、図２、図３に示されているように、横桟４の配置位置及び配置間隔に対応する位置の下端側に切欠部３ｇが形成されており、また、横桟４には、上記２本の縦桟３、３の配置間隔に対応する切欠部４ｄ、４ｄが図６、図７に示すように、上端側に形成されており、これらの切欠部３ｇ、４ｄは、前記縦桟３及び横桟４の高さの半分の深さで形成されている。切欠部３ｇ、４ｄの切欠き幅は、縦桟３及び横桟４の厚さに対応したものとされている。
【００２６】
本発明に係る桁材１の実施形態は以上の構成からなり、これを図８に示すように、上部デッキプレート７の下面にフォークの差込方向及び爪間隔などを考慮して適宜の間隔で配置して単面形紙製パレット８（スキッドタイプ）を作成する。この図８は、二方差しのパレットの場合を例示しており、そのため、本発明の桁材１は、縦桟３の長手方向に２分割せず、長いままで使用している。
【００２７】
本発明の桁材１によれば、桁材１の骨格となる縦桟３及び横桟４は、何れも段ボール板紙で構成されているため軽量であり、しかも、段ボール板紙の波形状の中芯の段に平行な方向が高さ方向Ｚとして裁断されているため上下方向の支持強度を大きくすることができ、かつ、高さ方向Ｚに２つ折りとされているため、裁断及び組立工数が削減できるとともに、各縦桟３及び横桟４の厚さが段ボール板紙２枚分となり、個々の縦桟３及び横桟４の強度が２倍以上に向上し、しかも、縦桟３と横桟４を経済的かつ合理的に配置することができ、その結果、原材料の使用量を削減して強度向上と低コスト化を同時に満足することができる単面形紙製パレット用桁材を提供することができる。なお、桁材１の骨格の上面は、平坦な天板２としてあるため、上部デッキプレート７に広い面積で強固に糊付けすることが可能となる。
【００２８】
なお、四方差しパレットに使用する場合では、本発明の桁材１を長手方向中央部で切り離して半分の長さにして使用すればよく、この場合、桁材１の長手方向中央部には切り目５ｆが形成してあるため、簡単に切り離すことができ、二方差しパレットに使用する場合と四方差しパレットに使用する場合とで、桁材１を共用でき、桁材１の製作工数や製品管理を容易化できる利点がある。
【００２９】
そして、桁材１を四方差しと二方差しとに使用した場合でも単位面積当たりの平面強度を同一とすることができる。
さらに、縦桟３及び横桟４の下端面が折り曲げによって潰れることがなく、それだけ支持強度がアップし、しかも、２つ折りされた２片は、一方のライナによってヒンジ部で一体に連結され個別にずれたりせず、これら２つ折りされた縦桟３と横桟４は、切欠部同士を互いに差し込んで井桁状に組み合わされているため、縦桟３と横桟４で相互に相手の開きを抑え、その弾性反発力で互いに抜け止め作用を生じて井桁状を自己保持し、糊付けを省略することができる。これによって、糊材の削減、工程の削減が可能となり、低コスト化に寄与することができる。
【００３０】
本発明の実施形態は以上からなるが、本発明は、この実施形態にのみ制約されるものではなく、特許請求の範囲に記載された事項の範囲内で適宜変更して実施することができる。例えば、縦桟３は、２本の場合を例示したが、３本としてもよく、３本以上としてもよい。また、縦桟３、天板２及び横桟４は、複両面段ボールとしたが、これに制約されず、他の段ボール板紙で構成してもよい。サイズは、例えば、幅Ｗ×長さＬ×高さｈが、１００×２００×９５（ｍｍ）、１００×４００×９５（ｍｍ）、１５０×２００×９５（ｍｍ）、１５０×４００×９５（ｍｍ）、２００×２００×９５（ｍｍ）、２００×４００×９５（ｍｍ）とすることができ、これ以外としてもよい。但し、Ｗが大きくなるほど縦桟３の使用本数を増やし、また、Ｌが長くなるほど横桟４の配置本数を増やせばよい。
【図面の簡単な説明】
【００３１】
【図１】本発明の実施形態に係る桁材の斜視図である。
【図２】図１の縦桟及び天板の展開斜視図である。
【図３】図２の縦桟及び天板の組立要領を示す斜視図である。
【図４】（Ａ）（Ｂ）は縦桟と天板の折り目の連続部分での圧下前後の状態の説明用断面図である。
【図５】（Ａ）（Ｂ）は図４と同じ縦桟と天板の折り目の不連続部分（切り目位置）での圧下前後の状態の説明用断面図である。
【図６】図１の横桟の展開斜視図である。
【図７】図６の横桟の組立要領を示す斜視図である。
【図８】本発明の桁材で製作した四方差しパレットの斜視説明図である。
【符号の説明】
【００３２】
１    桁材
２    天板
３    縦桟
４    横桟
５，６  段ボール板紙
７    上部デッキボード
８    パレット
【図１】
2007223618.tif 000003
【図２】
2007223618.tif 000004
【図３】
2007223618.tif 000005
【図４】
2007223618.tif 000006
【図５】
2007223618.tif 000007
【図６】
2007223618.tif 000008
【図７】
2007223618.tif 000009
【図８】
2007223618.tif 000010